(57)【要約】【目的】シートサイズの変更にもかかわらず、常に一定のテンションのもとに紙抑え機能を発揮できるシートガイドを得る。【構成】フィーダボード（４）側の案内ローラ（１４）を始点とし、フィーダヘッド（３）に設けられた中継回転子（１６）を経由して、左右の側方ガイド部材（８）に到る左右一対のガイドワイヤ（１３）にウエイト（１９）を取り付けて成るシートガイドである。【選択図】  図１
2005008329.tif 000002
【特許請求の範囲】
【請求項１】
堆積されて準備されたシート（２）が定常的に上方向に持ち上げられ、このシート（２）をフィーダヘッド（３）によって吸着分離してフィーダボード（４）側に送り出す給紙装置において、前記フィーダボード（４）側の案内ローラ（１４）を始点とし、前記フィーダヘッド（３）に設けられた中継回転子（１６）を経由して、左右の側方ガイド部材（８）に到る左右一対のガイドワイヤ（１３）にウエイト（１９）を取り付けたことを特徴とするシートガイド。
【発明の詳細な説明】
【０００１】
【産業上の利用分野】
本発明は、枚葉印刷機の給紙装置に関し、特に、シートのばたつきを抑えるシートガイドに関する。
【０００２】
【発明の背景】
枚葉印刷機の給紙装置にあっては、堆積して準備された定形のシートを一枚づつ吸着分離した上で、印刷ユニットに送り出すようにしている。この際、給紙装置のフィーダヘッドはシートの分離のためにパイル部分にエアーを吹き付けるとともに、サッカーによってシートを吸着して往復運動し、フィーダボード側に送り出す。シートは、何等の支えもなく、いわゆる腰の無い状態であるから、エアーによって無用にばたついてその搬送に支障を来たしてはならないが、このため、パイルの上方からその前方のフィーダボードにシートガイドが設けられる。
【０００３】
【従来の技術】
特開平９−１２４１８１号公報にあっては、堆積されて定常的に上方向に持ち上げられているシートの上方において、ベルト及び巻き取りローラによる紙送り部材をフィーダヘッドとその前方のフィーダボード上方のアームとの間に設け、これにより、吸着分離されて搬送されるシートのばたつきを抑えることとした技術が開示されている。
【０００４】
【発明が解決しようとする課題】
枚葉印刷機にかけられるシートの天地方向／左右方向の寸法に応じて、フィーダヘッドひいては紙送り部材の位置を調節することが必要とされるが、上記した従来技術における巻き取りローラによるベルトの巻き取り／送り出しは、その調節に手間がかかって面倒であり、また、特に紙寸が小さい場合、時間の経過とともにベルトがたるみがちになって、紙抑え機能に支障を来たすという不具合があった。
【０００５】
本発明は上記した問題に鑑みてなされ、進歩したシートガイドを提供するもので、その目的は、構成が極めて簡易、かつ、低コストで、シートサイズの変更にかかわらず、常に一定のテンションのもとに紙抑え機能を発揮できるようにすることにある。
【０００６】
【課題を解決するための手段】
そしてこのために、本発明に係るシートガイドはフィーダボード（４）側の案内ローラ（１４）を始点とし、フィーダヘッド（３）に設けられた中継回転子（１６）を経由して、シート（２）の左右の側方ガイド部材（８）に到る左右一対のガイドワイヤ（１３）にウエイト（１９）を取り付けて垂下させている。
【０００７】
【作用】
使用されるシート（２）の変更に伴い、フィーダヘッド（３）は天地方向に、また、側方ガイド部材（８）は左右方向に各々移動調整されるが、ガイドワイヤ（１３）を中継する中継回転子（１６）は、フィーダヘッド（３）の移動に際してもガイドワイヤ（１３）のスムーズな移動を保証し、また、側方ガイド部材（８）の移動調整と一体にガイドワイヤ（１３）及びウエイト（１９）も移動されて、その自重による垂下状態を保つ。これにより、シートガイド全体としてのスムーズな調整及び一定の張力状態が保証されることとなる。
【０００８】
【実施例】
以下、図面を参照して、本発明の実施例につき詳細に説明する。図１は、本発明に係るシートガイドを備えた給紙装置の一実施例を示す概略側面図、図２は、最大寸法のシートを給送する場合における平面図、図３は、最小寸法のシートを給送する場合における平面図である。
【０００９】
給紙装置の役割は、紙積台（１）上にパイルして準備されたシート（２）をフィーダヘッド（３）によって分離して図面左方のフィーダボード（４）に送り出し、さらに、図示しない印刷ユニットに送り込むことである。紙積台（１）上に載置されたシート（２）は、昇降チェーン（５）によって常に上方に持ち上げられており、フィーダヘッド（３）のブロワー（６）がシート（２）の側方にエアーを吹き付け、シート（２）の分離を促進させる。また、フィーダヘッド（３）のサッカー（７）は、パイルの最上面のシート（２）を吸着してフィーダボード（４）方向に往復移動し、多数のシート（２）が部分的に重複した、いわゆるウロコ状態でフィーダボード（４）上にシート（２）を送り出す。
【００１０】
なお、図２及び図３に示すように、シート（２）の天地方向（進行方向の長さであり、図面では左右方向である。）の寸法に応じて、フィーダヘッド（３）の位置が調節される。また、シート（２）の左右方向（横幅であり、図面では上下方向である。）の寸法についても、左右一対の側方ガイド部材（８）をガイド軸（９）に沿って移動させることにより調節するようになっている。
また、フィーダボード（４）は、ベルトローラ（１０）に巻回された複数の紙送りベルト（１１）、そしてシート（２）を挟圧する紙送りローラ（１２）等を有している。
【００１１】
フィーダヘッド（３）のサッカー（７）によって吸着されてフィーダボード（４）方向に送り出されていくシート（２）は、本来的に腰がないばかりか、ブロワー（６）のエアーの影響を受けてバタつき易い。このようなシート（２）の暴れを抑えるのが本発明に係るシートガイドであり、金属製のより線に成る左右一対のガイドワイヤ（１３）として構成されている。
すなわちガイドワイヤ（１３）は、フィーダボード（４）側に設けられた案内ローラ（１４）を始点としており、フィーダヘッド（３）に取り付けられたブラケット（１５）によって支持された中継回転子（１６）を経由している。
なお、このブラケット（１５）は、長穴（１７）及びボルト（１８）の組合せによって調節可能にフィーダヘッド（３）に取り付けられている。
【００１２】
中継回転子（１６）を経由した左右一対のガイドワイヤ（１３）は、各々側方ガイド部材（８）の方向に導かれ、終端に連結されたウエイト（１９）が側方ガイド部材（８）と一体のガイドパイプ（２０）に沿って垂下されるようになっている。
【００１３】
次に、上記構成の作用について説明すると、給紙されるべきシート（２）の寸法は多様であるが、シート（２）の変更に伴い、フィーダヘッド（３）は天地方向に、また、側方ガイド部材（８）もそのガイド軸（９）に沿って左右方向に移動調整される。
このときガイドワイヤ（１３）を中継する中継回転子（１６）は、終端のウエイト（１９）の負荷のもと、非常にスムーズにガイドワイヤ（１３）の動きを許容する。
また、側方ガイド部材（８）の移動と一体にガイドパイプ（２０）も移動されるので、その中のウエイト（１９）も自重による垂下状態を保ったままである。
これにより、金属線であるガイドワイヤ（１３）全体としても、非常にスムーズな調整及び一定の張力状態が保証され、常に伸張した状態で紙抑え機能を果たすことができる。
【００１４】
【発明の効果】
上記したように、本発明に係るシートガイドによれば、本質的に金属線にウエイトを取り付け、これをフィーダヘッド及び側方ガイド部材に関係付けた構成としているので、構成が極めて簡易で、コストが安くて済むことは勿論、常に安定したテンションのものに紙抑え機能を果たすことができ、とかく複雑で、かつ、応急的な対応策を迫られる給紙装置を非常にすっきりと設計することが可能となる。
【図面の簡単な説明】
【図１】本発明に係るシートガイドを備えた給紙装置の一実施例を示す概略側面図である。
【図２】最大寸法のシートを給送する場合における平面図である。
【図３】最小寸法のシートを給送する場合における平面図である。
【符号の説明】
１          紙積台
２          シート
３          フィーダヘッド
４          フィーダボード
５          昇降チェーン
６          ブロワー
７          サッカー
８          側方ガイド部材
９          ガイド軸
１３        ガイドワイヤ
１４        案内ローラ
１５        ブラケット
１６        中継回転子
１７        長穴
１８        ボルト
１９        ウエイト
２０        ガイドパイプ
【図１】
2005008329.tif 000003
【図２】
2005008329.tif 000004
【図３】
2005008329.tif 000005